(57)【要約】【課題】本発明は円筒を伸長して高さ調整を簡便に行えるようにし、操作性を一層向上させた収納パレットを提供するものである。【解決手段】パレット本体１上の四隅の根元付近に配置される基部２Ａと前記基部の上方に遊挿される主角筒部２Ｂとに分割される角筒２と、パレット本体の内側に傾倒可能に設けられた主角筒部内にストッパ手段５を介して複数段に伸縮可能に挿入、固定する円筒４と、を有する収納パレットにおいて、前記ストッパ手段５が、前記円筒の下端近傍に径方向に水平に突出された係止ピン６と、前記主角筒部の対角線Ｔに位置する近傍の内壁７に複数対が設けられて前記係止ピンが係脱可能となる側面略逆Ｌ字状の係合溝８,８；８,８と、により構成されたものとする。【選択図】図１
2013049435.tif 000002
【特許請求の範囲】
【請求項１】
パレット本体上の四隅の根元付近に配置される基部と前記基部の上方に遊挿される主角筒部とに分割される角筒と、前記パレット本体の内側に傾倒可能に設けられた前記主角筒部内にストッパ手段を介して複数段に伸縮可能に挿入、固定する円筒と、を有する収納パレットにおいて、
前記ストッパ手段が、前記円筒の下端近傍に径方向に水平に突出された係止ピンと、前記主角筒部の対角線に位置する近傍の内壁に複数対が設けられて前記係止ピンが係脱可能となる側面略逆Ｌ字状の係合溝と、により構成されている
ことを特徴とする収納パレット。
【請求項２】
前記係合溝が、前記係止ピンの係止始端として平面対角線に一端が開設されるとともに、該一端から平面略９０°の開度にて係止終端として他端が開設された横状溝部と、該横状溝部の前記他端に縦に略直交して設けられた縦状溝部と、により構成されていることを特徴とする請求項１に記載の収納パレット。
【請求項３】
前記ストッパ手段の上段の前記係合溝の上部には、前記主角筒部の平面対角線位置に前記円筒の前記係止ピンが位置された時に、係止可能とすると共に、前記円筒の上下方向への移動を規制可能に前記主角筒部の内部に抜け止め部材が突設されていることを特徴とする請求項１または２に記載の収納パレット。
【請求項４】
前記円筒の上端には、該円筒よりも径大な盤状体が設けられていることを特徴とする請求項１−３の何れかに記載の収納パレット。
【請求項５】
前記主角筒部内の内部下方には、前記円筒の最降下位置を規制する降下規制板が、略水平に設けられていることを特徴とする請求項１−４の何れかに記載の収納パレット。
【請求項６】
前記基部の上端に対向して設けられて上部が開口された略Ｕ字状の嵌合溝と、
前記基部内に包囲された前記主角筒部が自立可能に前記嵌合溝内に嵌脱可能にその外側に突設された１対の自立ストッパと、
前記自立ストッパの下方外側に対向して設けられた側面略く字形の自立係止孔と、
前記基部および前記自立係止孔内に摺動可能に貫通されて前記主角筒部を傾倒可能になす軸体と、により構成されている
ことを特徴とする請求項１−５の何れかに記載の収納パレット。
【発明の詳細な説明】
【技術分野】
【０００１】
本発明は収納パレットに関し、さらに詳しくは、収納パレットの容積、例えば高さを被収納物の外容積に応じて変化させて収納、輸送、保管を行なうことができると共に、容易に折畳み、組立てができるようにした収納パレットに関する。
【背景技術】
【０００２】
従来、被収納物として、例えば自動車のエンジンを海外に輸出するのに、パレット本体に、角筒を立設することにより、被収納物を保護するように構成されたものがあった。この種の収納パレットには、パレット本体の各コーナ（四隅）に鉄製の角筒が起立状に設けられ、前記角筒の上端開口に縦状の切欠溝が形成され、且つ該角筒内の中空部に収納され上端開口から出没自在になる鉄製の円柱が配設され、前記円柱の周壁には突起片が前記角筒のコーナに位置させ、角筒内に収まるように、形成され、該突起片は前記切欠溝に係合させ、該円柱を伸長できるように構成された収納パレットが提案されていた（例えば、特許文献１参照。）。この収納パレットでは、円柱の半分程の長さ個所に形成した平面環状の括部に回転可能に回転体を設け、前記回転体の外周に、第１の前記突起片を形成し、前記円柱の下端には第２の突起片を形成した構成であった。
【先行技術文献】
【特許文献】
【０００３】
【特許文献１】特開平７−１７５４２号公報
【発明の概要】
【発明が解決しようとする課題】
【０００４】
しかしながら、上記従来の収納パレットにおいて、円柱を角筒に対して伸長して高さを調整するには、前記円柱を前記角筒から略半分ほど引き出した後に、その高さを保ったまま前記回転体を円柱に対して回転させることにより、この回転体の外周に設けられた第１の前記突起片を前記角筒の上端に設けた切欠溝内に係合させて円柱を略半分の長さに伸長させて、高さが調整され、また、前記円柱を略全体的に伸長して高さを調整するには、該円柱を角筒から略全体的に伸長した後に、前記円柱を回転させて第２の前記突起片を前記係合溝に係合させることにより前記円柱が略全体的に伸長されて高さが調整されるので、前記角筒に対して円柱を１段目の高さに調整したり、または２段目の高さに調整するためには、円柱を伸長したり、回転体を回転したり、さらには、円柱を回転しなければならず、操作が複雑であり、操作性が悪く、不便であった。
【０００５】
そこで、本発明はかかる問題を解決することを目的としている。即ち、本発明は円筒を伸長して高さ調整を簡便に行えるようにし、操作性を一層向上させた収納パレットを提供することを目的とする。
【課題を解決するための手段】
【０００６】
本発明の請求項１に記載の発明は、パレット本体上の四隅の根元付近に配置される基部と前記基部の上方に遊挿される主角筒部とに分割される角筒と、前記パレット本体の内側に傾倒可能に設けられた前記主角筒部内にストッパ手段を介して複数段に伸縮可能に挿入、固定する円筒と、を有する収納パレットにおいて、
前記ストッパ手段が、前記円筒の下端近傍に径方向に水平に突出された係止ピンと、前記主角筒部の対角線に位置する近傍の内壁に複数対が設けられて前記係止ピンが係脱可能となる側面略逆Ｌ字状の係合溝と、により構成されている
ことを特徴とする。
【０００７】
また、本発明の請求項２に記載の発明は、請求項１において、前記係合溝が、前記係止ピンの係止始端として平面対角線に一端が開設されるとともに、該一端から平面略９０°の開度にて係止終端として他端が開設された横状溝部と、該横状溝部の前記他端に縦に略直交して設けられた縦状溝部と、により構成されていることを特徴とする。
【０００８】
また、本発明の請求項３に記載の発明は、請求項１または２において、前記ストッパ手段の上段の前記係合溝の上部には、前記主角筒部の平面対角線位置に前記円筒の前記係止ピンが位置された時に、係止可能とすると共に、前記円筒の上下方向への移動を規制可能に前記主角筒部の内部に抜け止め部材が突設されていることを特徴とする。
【０００９】
また、本発明の請求項４に記載の発明は、請求項１−３の何れかにおいて、前記円筒の上端には、該円筒よりも径大な盤状体が設けられていることを特徴とする。
【００１０】
また、本発明の請求項５に記載の発明は、請求項１−４の何れかにおいて、前記主角筒部内の内部下方には、前記円筒の最降下位置を規制する降下規制板が、略水平に設けられていることを特徴とする。
【００１１】
また、本発明の請求項６に記載の発明は、請求項１−５の何れかにおいて、前記基部の上端に対向して設けられて上部が開口された略Ｕ字状の嵌合溝と、
前記基部内に包囲された前記主角筒部が自立可能に前記嵌合溝内に嵌脱可能にその外側に突設された１対の自立ストッパと、
前記自立ストッパの下方外側に対向して設けられた側面略く字形の自立係止孔と、
前記基部および前記自立係止孔内に摺動可能に貫通されて前記主角筒部を傾倒可能になす軸体と、
により構成されていることを特徴とする。
【発明の効果】
【００１２】
本発明の請求項１に記載の発明によれば、パレット本体上の四隅の根元付近に配置される基部と前記基部の上方に遊挿される主角筒部とに分割される角筒と、前記パレット本体の内側に傾倒可能に設けられた前記主角筒部内にストッパ手段を介して複数段に伸縮可能に挿入、固定する円筒と、を有する収納パレットにおいて、前記ストッパ手段が、前記円筒の下端近傍に径方向に水平に突出された係止ピンと、前記主角筒部の対角線に位置する近傍の内壁に複数対が設けられて前記係止ピンが係脱可能となる側面略逆Ｌ字状の係合溝と、により構成されているので、円筒を略半分程に伸長して１段目の高さに調整するには、先ず、円筒を把持して上方へと引き上げることにより前記主角筒部に対して略半分ほど伸長する。その後、円筒を反時計方向に略４５度回転すると、円筒の下端近傍に径方向に水平に突出された係止ピンが、主角筒部の対角線位置近傍の内壁に対向して複数対が設けられた側面略逆Ｌ字状の係合溝内に水平に回動され、係入されることにより、円筒は略半分程伸長されて高さが調整される。また、係止ピンと、側面略逆Ｌ字状の係合溝との係合を解くには、円筒を把持して主角筒部内において時計方向に回動すると、係止ピンは係合溝から脱係し、主角筒部の平面対角線に位置されることにより、円筒の上昇許容位置を採り、円筒は上昇または降下される。
【００１３】
また、円筒を全体的に伸長して２段目の高さに調整するには、同様に円筒を把持して前記主角筒部に対して全体的に伸長する。その後、円筒を反時計方向に略４５度回転すると、円筒の下端近傍に径方向に水平に突出された係止ピンが、主角筒部の対角線位置近傍の内壁に対向して複数対が設けられた側面略逆Ｌ字状の係合溝内に係入されることにより、円筒は略全体的に伸長されて高さが調整される。そして、係止ピンと、側面略逆Ｌ字状の係合溝との係合を解くには、円筒を把持して時計方向に回動すると、係止ピンは係合溝から脱係し、主角筒部の平面対角線に位置し、円筒の上昇許容位置を採り、円筒は上昇または降下される。
【００１４】
このように、円筒の高さを略半分程の１段目、および円筒の全体的な２段目の高さに調整するのに、円筒を把持してから、伸長し、反時計方向または時計方向に回動操作することにより、円筒の下端近傍に径方向に水平に突出された係止ピンが、主角筒部の対角線位置の近傍の内壁に対向して複数対が設けられた側面略逆Ｌ字状の係合溝内に係入され、円筒は１段目、および２段目に簡単な取り扱いにて迅速かつ確実に高さを調整することができる。そして、１段目、および２段目に円筒は、該円筒の下端近傍に径方向に水平に突出された係止ピンが、主角筒部の対角線位置の近傍の内壁に対向して複数対が設けられたストッパ手段の側面略逆Ｌ字状の係合溝内に係入されることにより、高さが調整されるので、特許文献１に記載された従来の収納パレットは、鉄製で重量が大きな円柱を角筒に対して略半分ほど伸長して１段目の高さを調整するのに、回転体の第１の突起片を角筒の上端に設けられた切欠溝内に係合させ、また、円柱を略全体的に伸長して２段目の高さに調整するのには、円柱を略全体的に伸長した後に、円柱を回転させて第２の突起片を係合溝に係合させなければならないから、円柱を１段目の高さ、および２段目の高さに調整するのに、第１の突起片、および第２の突起片を角筒の上端に設けられた切欠溝内に係合させるという、操作が複雑であり、操作性が悪く、不便であったのとは異なり、操作性の向上がはかれ、高さ調整が簡便に行える。しかも、特許文献１に記載された従来の収納パレットは、角筒に対して円柱を１段目の高さに調整したり、または２段目の高さに調整するためには、鉄製で重量が大きな円柱を伸長したり、回転体を回転したり、さらには、円柱を回転する場合に、第１の突起片、および第２の突起片と嵌合溝との間に手が挟まれ、傷を被い、危険な構造であったのとは異なり、本発明の収納パレットでは手が挟まれにくく、傷を被うという危険がなくなり、安全である。
【００１５】
また、本発明の請求項２に記載の発明によれば、請求項１において、前記係合溝が、前記係止ピンの係止始端として平面対角線に一端が開設されるとともに、該一端から平面略９０°の開度にて係止終端として他端が開設された横状溝部と、該横状溝部の前記他端に縦に略直交して設けられた縦状溝部と、により構成されているので、円筒の高さを略半分程の１段目、および円筒の全体的な２段目の高さに調整するのに、円筒を片手にて把持してから、そのまま引き上げて伸長し、反時計方向または時計方向に回動操作すると、円筒の下端近傍に径方向に水平に突出された係止ピンが、主角筒部の対角線位置近傍の内壁に対向して複数対が設けられた側面略逆Ｌ字状の係合溝内に係入されたり、脱係されることにより、円筒は１段目、および２段目に簡単な取り扱いにて迅速かつ確実に高さを調整することができる。
【００１６】
また、本発明の請求項３に記載の発明によれば、請求項１または２において、前記ストッパ手段の上段の前記係合溝の上部には、前記主角筒部の平面対角線位置に前記円筒の前記係止ピンが位置された時に、係止可能とすると共に、前記円筒の上下方向への移動を規制可能に前記主角筒部の内部に抜け止め部材が突設されているので、円筒の下端近傍に径方向に水平に突出された係止ピンが、ストッパ手段の上段の係合溝の上部に、主角筒部の平面対角線位置に主角筒部の内部に突設されている抜け止め部材に係止されるため、円筒は上下方向への移動が規制され、抜けが防止される。
【００１７】
また、本発明の請求項４に記載の発明によれば、請求項１−３の何れかにおいて、前記円筒の上端には、該円筒よりも径大な盤状体が設けられているので、円筒の高さを略半分程の１段目、および円筒の全体的な２段目の高さに調整するのに、円筒の上端に、該円筒よりも径大に設けられた盤状体を片手で把持することにより、円筒を伸長したり、降下させ、それから反時計方向または時計方向にそのまま片手にて回動操作することができる。
【００１８】
また、本発明の請求項５に記載の発明によれば、請求項１−４の何れかにおいて、前記主角筒部内の内部下方には、前記円筒の最降下位置を規制する降下規制板が、略水平に設けられているので、円筒を主角筒部内に収納した場合に、降下規制板により、それ以上の円筒の降下が規制される。
【００１９】
また、本発明の請求項６に記載の発明によれば、請求項１−５の何れかにおいて、前記基部の上端に対向して設けられて上部が開口された略Ｕ字状の嵌合溝と、前記基部内に包囲された前記主角筒部が自立可能に前記嵌合溝内に嵌脱可能にその外側に突設された１対の自立ストッパと、前記自立ストッパの下方外側に対向して設けられた側面略く字形の自立係止孔と、前記基部および前記自立係止孔内に摺動可能に貫通されて前記主角筒部を傾倒可能になす軸体と、により構成されているので、被収納物の収納、輸送、保管が済み、パレット本体上の四隅に、根元付近に配置される下方の基部に包囲されるように、軸体にて枢着されている主角筒部を内側に傾倒するのには、主角筒部の外面から内側へと力を加えて基部および側面略く字形の自立係止孔内に摺動可能に貫通されている軸体を中心に主角筒部を内側へ傾倒すると、軸体は主角筒部に設けられた自立係止孔内を案内、移動されることにより、基部の上端に対向して設けられて上部が開口された略Ｕ字状の嵌合溝から、主角筒部の外側に突設された１対の自立ストッパが脱係され、主角筒部は例えば図４、および図５の想像線に示されるように、内方へ傾倒される。
【００２０】
また、被収納物を収納、輸送、保管する使用時に、パレット本体上の四隅に、配置される基部に包囲されるように、軸体にて枢着されている主角筒部が傾倒されて折畳まれている状態から起立させるのには、主角筒部の内側から外側へと力を加えて基部および側面略く字形の自立係止孔内に摺動可能に貫通されている軸体を中心に主角筒部を起立すると、軸体は主角筒部に設けられた自立係止孔内を案内、移動されることにより、基部の上端に対向して設けられて上部が開口された略Ｕ字状の嵌合溝内に、主角筒部の外側に突設された１対の自立ストッパが係合され、主角筒部は起立される。
【図面の簡単な説明】
【００２１】
【図１】図１は本発明の収納パレットの実施形態を示す組立状態の正面図である。
【図２】図２は同じく平面図である。
【図３】図３は同じく右側面図である。
【図４】図４は同じくネット板を省略して基部に対して主角筒部および円筒を内側に傾倒したり、起立させる状態を示す正面図である。
【図５】図５は同じく説明的な拡大正面図である。
【図６】図６は主角筒部内に円柱を収納した状態の拡大正面図である。
【図７】図７は図６のＡ−Ａ矢視拡大断面図である。
【図８】図８は同じく拡大左側面図である。
【図９】図９は同じく拡大斜視図である。
【図１０】図１０は同じく拡大平面図である。
【図１１】図１１は同じく拡大底面図である。
【図１２】図１２は図８のＢ−Ｂ矢視拡大断面図である。
【図１３】図１３は同じく拡大背面図である。
【図１４】図１４は同じく拡大水平断面図である。
【図１５】図１５は円筒を主角筒部に対して１段目のストッパ手段まで伸長して高さ調整した状態の拡大縦断面図である。
【図１６】図１６は同じく水平拡大断面図である。
【図１７】図１７は同じく使用状態を示す水平拡大断面図である。
【図１８】図１８はストッパ手段の嵌合溝に係止ピンが係合される状態を示す図１５の円内の拡大断面図である。
【発明を実施するための形態】
【００２２】
以下、図面に従って本発明の実施の形態により、本発明の詳細を説明する。
【００２３】
本実施形態は、被収納物Ａの外容積に応じて高さを変化させて収納、輸送、保管を行うために、パレット本体１上の四隅の根元付近に配置される基部２Ａと前記基部２Ａの上方に遊挿される主角筒部２Ｂとに分割される角筒２と、前記パレット本体１の内側に傾倒可能に設けられた前記主角筒部２Ｂ内にストッパ手段５を介して複数段に伸縮可能に挿入、固定する円筒４と、を有する収納パレットである点は、例えば特許文献１に記載された収納パレットと同様である。そして、前記主角筒部２Ｂが自立拘束手段３のロックを解除して前記パレット本体１の内側に傾倒可能に設けられる。そして、前記基部２Ａおよび主角筒部２Ｂは、鉄板、アルミニウム板のような金属板で形成される。
【００２４】
しかしながら、本実施形態１の収納パレットでは、図１７および図１８に示すように、前記主角筒部２Ｂ内に前記円筒４が軸Ｏ周りに回動可能に挿入され、前記ストッパ手段５が、前記円筒４の下端近傍に径方向に水平に突出された係止ピン６と、前記主角筒部２Ｂの平面対角線Ｔに位置する近傍の内壁７に複数対が設けられて前記係止ピン６が係脱可能となる側面略逆Ｌ字状の係合溝８,８；８,８と、により構成されている。係止ピン６は、前記主角筒部２Ｂの平面対角線Ｔに位置する脱係時において前記円筒４が、上昇許容位置Ｕを採る。
【００２５】
前記被収納物Ａとしては、例えば自動車のエンジン、計測機械、精密機械等の保護を必要とするものが挙げられる。
【００２６】
図１７および図１８に示すように前記係合溝８が、前記係止ピン６の係止始端９ａとして前記平面対角線Ｔに一端が開設されるとともに、該一端から平面略９０°の開度にて係止終端９ｂとして他端が開設された横状溝部９と、該横状溝部９の前記他端に縦に略直交して設けられた縦状溝部１０と、により構成されている。この際、係合溝８の横状溝部９の設置長さＬは、円筒４の外周径の大きさ、主角筒部２Ｂの内域空間部の広さに応じて自由に設定される。また、係合溝８の幅Ｗは、係止ピン６の直径に応じて自由に設定される。
【００２７】
このように、係合溝８が、前記係止ピン６に対する係止始端９ａとして前記平面対角線Ｔに一端が開設されるとともに、該一端から平面略９０°の開度にて係止終端９ｂとして他端が開設された横状溝部９を設け、該横状溝部９の前記他端に縦に略直交して縦状溝部１０を設けた構成としたのは、主角筒部２Ｂの対角線Ｔに係止ピン６が略合致する上昇許容位置Ｕでは、円筒４の上昇または降下が許容され、また、円筒４を主角筒部２Ｂ内において回動した場合には、円筒４の下端近傍に設けられた係止ピン６が回転の邪魔にならないようにするためである。
【００２８】
前記ストッパ手段５の上段の前記係合溝８の上部には、前記主角筒部２Ｂの平面対角線Ｔに前記円筒４の前記係止ピン６が位置された時に、係止可能になり、前記円筒４の上下方向Ｘへの移動を規制可能に抜け止め部材１１が前記主角筒部２Ｂの内部に突設されている。この抜け止め部材１１としては、例えばボルト１１Ａが螺入されることにより使用される。
【００２９】
前記円筒４の上端には、該円筒４よりも径大な盤状体１２が設けられている。
【００３０】
図１５に示すように前記主角筒部２Ｂ内の内部下方には、前記円筒４の最降下位置Ｄを規制する降下規制板１３が、略水平に設けられている。この降下規制板１３は、円筒４を主角筒部２Ｂ内に収納した場合に、それ以下の降下を規制するためのものである。
【００３１】
図１、図４、図５に示すように前記自立拘束手段３が、平面略コ字状の前記基部２Ａの上端に対向して設けられて上部が開口された略Ｕ字状の嵌合溝１５,１５と、前記基部２Ａ内に包囲された前記主角筒部２Ｂが自立可能に前記嵌合溝１５,１５内に嵌脱可能にその外側に突設された１対の自立ストッパ１６,１６と、前記自立ストッパ１６,１６の下方外側に対向して設けられた側面略く字形の自立係止孔１７,１７と、前記基部２Ａおよび前記自立係止孔１７,１７内に摺動可能に貫通されて前記主角筒部２Ｂを傾倒可能になす軸体１４と、により構成されている。この軸体１４としては、例えばボルト１４Ａが使用され、このボルト１４Ａには、ナット１４Ｂが結合される。
【００３２】
図１、図３において１８は枠体に金網を張ったネット板であり、このネット板１８は止金具１９により前記主角筒部２Ｂに取付けられることにより、被収納物Ａを囲み、保護するためのものである。
【００３３】
本発明の収納パレットの一実施形態は以上の構成からなり、自立拘束手段３が、平面略コ字状の前記基部２Ａの上端に対向して設けられて上部が開口された略Ｕ字状の嵌合溝１５,１５と、前記基部２Ａ内に包囲された前記主角筒部２Ｂが自立可能に前記嵌合溝１５,１５内に嵌脱可能にその外側に突設された１対の自立ストッパ１６,１６と、前記自立ストッパ１６,１６の下方外側に対向して設けられた側面略く字形の自立係止孔１７,１７と、前記基部２Ａおよび前記自立係止孔１７,１７内に摺動可能に貫通されて前記主角筒部２Ｂを傾倒可能になす軸体１４と、により構成されているので、被収納物Ａの収納、輸送、保管が済んだ不使用時に、パレット本体１上の四隅に、根元付近に配置された下方の基部２Ａに包囲されるように、軸体１４にて枢着されている主角筒部２Ｂは内側に傾倒されて折畳まれている。
【００３４】
この主角筒部２Ｂを内側に傾倒するのには、図４に示すように主角筒部２Ｂを僅かに上方に引き上げながら主角筒部２Ｂの外面から内側に向かって力Ｆを加えて基部２Ａおよび側面略く字形の自立係止孔１７内に摺動可能に貫通されている軸体１４を中心に主角筒部２Ｂを傾倒して行くと、軸体１４は主角筒部２Ｂに設けられた自立係止孔１７内を案内、移動されることにより、基部２Ａの上端に対向して設けられて上部が開口された略Ｕ字状の嵌合溝１５,１５から、主角筒部２Ｂの外側に突設された１対の自立ストッパ１６,１６が脱係され、主角筒部２Ｂは傾倒され、コンパクトに折畳まれる。
【００３５】
そして、被収納物Ａの運搬、および保管を行う使用時には、パレット本体１上の四隅に、配置された下方の基部２Ａに軸体１４にて枢着され、コンパクトに折り畳まれている主角筒部２Ｂを起立するが、これには図４に示されるように、主角筒部２Ｂの内側から外方に向かって力Ｆ′を加えて基部２Ａおよび側面略く字形の自立係止孔１７内に摺動可能に貫通されている軸体１４を中心に主角筒部２Ｂを起立して行くと、軸体１４は主角筒部２Ｂに設けられた自立係止孔１７内を案内、移動されることにより、基部２Ａの上端に対向して設けられて上部が開口された略Ｕ字状の嵌合溝１５,１５内に、主角筒部２Ｂの外側に突設された１対の自立ストッパ１６,１６が係合され、パレット本体１上の四隅に主角筒部２Ｂは起立される。こうして、主角筒部２Ｂに取付けられて枠体に金網を張ったネット板１８により囲まれた被収納物Ａは保護される。
【００３６】
ところで、被収納物Ａの外容積、例えば高さが高いために、これに応じて収納パレットの容積を変化させたい場合には、本実施形態１の収納パレットでは、図１７に示されるように、前記主角筒部２Ｂ内に前記円筒４が軸Ｏ周りに回動可能に挿入され、ストッパ手段５が、前記円筒４の下端近傍に径方向に水平に突出され、前記主角筒部２Ｂの平面対角線Ｔに位置する脱係時においては前記円筒４の上昇許容位置Ｕを採る係止ピン６と、前記係止ピン６が係脱可能に前記主角筒部２Ｂの前記対角線Ｔに位置する近傍の内壁７に対向して複数対が設けられた側面略逆Ｌ字状の係合溝８,８；８,８と、により構成されているので、円筒４を略半分程に伸長して１段目の高さに調整するには、先ず、円筒４を片手にて把持してそのまま主角筒部２Ｂ内において引上げることにより前記主角筒部２Ｂに対して略半分ほど伸長する。
【００３７】
その後、前記伸長高さを維持した状態で図１７において、片手操作により円筒４を反時計方向に略４５度回転すると、円筒４の下端近傍に径方向に水平に突出された係止ピン６が、主角筒部２Ｂの対角線Ｔに位置する近傍の内壁７に対向して複数対が設けられた側面略逆Ｌ字状の係合溝８,８の横状溝部９内を水平に回動され、係入されることにより、円筒４は略半分程伸長されて高さが調整される。
【００３８】
この際、図１７に示すように、前記係合溝８,８が、前記係止ピン６の係止始端９ａとして前記平面対角線Ｔに一端が開設されるとともに、該一端から平面略９０°の開度にて係止終端９ｂとして他端が開設された横状溝部９と、該横状溝部９の前記他端に縦に略直交して設けられた縦状溝部１０と、により構成されているので、前述のように円筒４の高さの略半分程の１段目の高さに円筒４を把持してから、伸長し、円筒４を主角筒部２Ｂにおいて反時計方向に片手にて回動操作すると、円筒４の下端近傍に径方向に水平に突出された係止ピン６が、主角筒部２Ｂの対角線Ｔに位置する近傍の内壁７に対向して複数対が設けられた側面略逆Ｌ字状の係合溝８,８の横状溝部９,９内に係止始端９ａから係止終端９ｂへと係入されることにより、円筒４は１段目のストッパ手段５,５に係止、固定され、簡単な取り扱いにて迅速かつ確実に高さが調整される。
【００３９】
また、係止ピン６と、側面略逆Ｌ字状の係合溝８,８との係合を解くには、円筒４を片手にて把持して図１７において時計方向に回動すると、係止ピン６は係合溝８,８の横状溝部９を係止終端９ｂから係止始端９ａへと移動して脱係し、主角筒部２Ｂの平面対角線Ｔに位置されることにより、円筒４は上昇許容位置Ｕを採り、主角筒部２Ｂ内を上昇または降下することができる。
【００４０】
そして、前記主角筒部２Ｂ内の内部下方には、前記円筒４の最降下位置Ｄを規制するための降下規制板１３が略水平に設けられているので、主角筒部２Ｂの平面対角線Ｔに係止ピン６を位置させることにより、円筒４を降下させて主角筒部２Ｂ内に収納した場合には、降下規制板１３により、それ以下の降下が規制される。
【００４１】
さらに、円筒４を全体的に伸長して２段目のストッパ手段５,５の設置位置に高さを調整するには、同様に円筒４を片手にて把持して前記主角筒部２Ｂに対して円筒４を全体的に伸長する。その後、円筒４を図１７において、反時計方向にそのまま片手操作により略４５度回転すると、円筒４の下端近傍に径方向に水平に突出された係止ピン６が、主角筒部２Ｂの対角線Ｔに位置する近傍の内壁７に対向して複数対が設けられた側面略逆Ｌ字状の係合溝８,８の横状溝部９,９に、係止始端９ａ、９ａ側から係入されることにより、円筒４は略全体的に伸長されて高さが調整される。
【００４２】
そして、係止ピン６と、側面略逆Ｌ字状の係合溝８,８との係合を解くには、円筒４を片手にて把持して図１７において時計方向に回動すると、係止ピン６は係合溝８,８の横状溝部９,９から脱係し、主角筒部２Ｂの平面対角線Ｔに位置し、円筒４の上昇許容位置Ｕを採り、降下が可能になる。
【００４３】
このように、円筒４の高さを略半分程の１段目、および円筒４の全体的な２段目の高さに調整するのに、円筒４を片手にて把持してから、軸方向に伸長し、そのまま片手操作により反時計方向または時計方向に回動操作することにより、円筒４の下端近傍に径方向に水平に突出された係止ピン６が、主角筒部２Ｂの対角線Ｔに位置する近傍に設けられる内壁７に対向して複数対が設けられた側面略逆Ｌ字状の係合溝８,８内に係入されたり、または脱係されることにより、円筒４は１段目、および２段目に簡単な取り扱いにて迅速かつ確実に高さを調整することができ、操作性が向上され、円筒を伸長して高さ調整が簡便に行える。こうして、被収納物Ａの外容積に応じて収納パレットの容積を変化させ、適切に被収納物Ａを保護することができる。
【００４４】
この際、前記円筒４の上端には、該円筒４よりも径大な盤状体１２が設けられているので、円筒４の高さを略半分程の１段目、および円筒４の全体的な２段目の高さに調整するのに、円筒４の上端に、該円筒４よりも径大に設けられている盤状体１２を片手で把持することにより、伸長し、反時計方向または時計方向に回動操作することが容易かつ確実にできる。
【００４５】
しかも、前述のように、円筒４は、１段目、および２段目の高さに、円筒４の下端近傍に径方向に水平に突出された係止ピン６が、主角筒部２Ｂの対角線Ｔに位置する近傍の内壁７に対向して複数対が設けられた側面略逆Ｌ字状の係合溝８,８；８,８内に係入されることにより、高さが調整されるので、特許文献１に記載された従来の収容パレットは、円柱を角筒に対して略半分ほど伸長して１段目の高さを調整するのに、回転体の第１の突起片を角筒の上端に設けられた切欠溝内に係合させ、また、円柱を略全体的に伸長して２段目の高さに調整するのには、円柱を略全体的に伸長した後に、円柱を回転させて第２の突起片を係合溝に係合させなければならず、円柱を１段目の高さ、および２段目の高さに調整するのに、外部に露呈された第１の突起片、および第２の突起片を角筒の上端に設けられた切欠溝内に係合させる場合に、手が挟まれ易く、傷を被い、危険な構造であったのとは異なり、手が挟まれ、傷を負うという危険がなくなり、安全である。
【００４６】
また、本実施形態の収納パレットでは、前記ストッパ手段５の上段の前記係合溝８,８；８,８の上部には、前記主角筒部２Ｂの平面対角線Ｔ位置に前記円筒４の前記係止ピン６が位置された時に、係止可能になり、前記円筒４の上下方向Ｘへの移動を規制可能に抜け止め部材１１が前記主角筒部２Ｂの内部に突設されているので、円筒４の下端近傍に径方向に水平に突出された係止ピン６が、ストッパ手段５の上段の係合溝８,８の上部において、主角筒部２Ｂの平面対角線Ｔの位置に主角筒部２Ｂの内部に突設されている抜け止め部材１１に係止されるため、円筒４は上下方向Ｘへの移動が規制され、抜けが防止される。
【００４７】
図示する上記実施形態では、円筒４の下端近傍に径方向に設けられた係止ピン６が係脱可能に主角筒部２Ｂの前記対角線Ｔの位置近傍の内壁７に対向して複数対が設けられた側面略逆Ｌ字状のストッパ手段５,５の係合溝８,８は、円筒４の高さの略半分程の１段目、および円筒４の全体的な２段目の高さの２段に設けられるように説明されているが、これに限ることなく、係合溝８,８の設置高さ、設置個数の増加は自由である。
【００４８】
また、側面略逆Ｌ字状のストッパ手段５,５の係合溝８,８は、図示するものに限らず、その係止始端９ａ、および係止終端９ｂの左右勝手が反対のものを採用するとともに、係合溝８,８に係脱可能になる係止ピン６を下端近傍に有する円筒４の回動方向が反対のものを採用したものでも本発明の適用範囲である。
【産業上の利用可能性】
【００４９】
本発明は円筒を伸長して高さ調整を簡便に行えるようにし、操作性を一層向上させるという用途・機能に適する。
【符号の説明】
【００５０】
１      パレット本体
２      角筒
２Ａ    基部
２Ｂ    主角筒部
３      自立拘束手段
４      円筒
５      ストッパ手段
６      係止ピン
７      内壁
８      係合溝
９      横状溝部
９ａ    係止始端
９ｂ    係止終端
１０    縦状溝部
１１    抜け止め部材
１２    盤状体
１３    降下規制板
１４    軸体
１５    嵌合溝
１６    自立ストッパ
１７    自立係止孔
Ａ      被収納物
Ｄ      最降下位置
Ｏ      軸
Ｔ      対角線
Ｕ      上昇許容位置
Ｘ      上下方向
【図１】
2013049435.tif 000003
【図２】
2013049435.tif 000004
【図３】
2013049435.tif 000005
【図４】
2013049435.tif 000006
【図５】
2013049435.tif 000007
【図６】
2013049435.tif 000008
【図７】
2013049435.tif 000009
【図８】
2013049435.tif 000010
【図９】
2013049435.tif 000011
【図１０】
2013049435.tif 000012
【図１１】
2013049435.tif 000013
【図１２】
2013049435.tif 000014
【図１３】
2013049435.tif 000015
【図１４】
2013049435.tif 000016
【図１５】
2013049435.tif 000017
【図１６】
2013049435.tif 000018
【図１７】
2013049435.tif 000019
【図１８】
2013049435.tif 000020